【手続補正書】
【提出日】平成28年1月6日(2016.1.6)
【手続補正１】
【補正対象書類名】特許請求の範囲
【補正対象項目名】請求項１
【補正方法】変更
【補正の内容】
【請求項１】
フィットネススタジオに設置される固定型のフィットネス装置であって、
−そのフィットネス装置（Ａ，Ｂ）のユーザー（１）の動作を非接触で検出し、そのユーザー（１）の動作に基づいて信号を生成・送信するセンサ機器（２）と、
−バーチャルフィットネストレーナー（３０）によるフィットネス運動の動作シーケンスおよび前記ユーザーのバーチャル画像（１’）を表示する表示ユニット（３）と、
−前記センサ機器（２）から受け取る前記信号に基づいて前記ユーザーの前記バーチャル画像（１’）を生成し、そのユーザーのバーチャル画像（１’）を前記表示ユニット（３）に表示させるコンピュータユニットと、
−前記コンピュータユニットに記憶されたユーザーのリストから特定のユーザー（１）を識別する識別手段と、を備えており、
データベースに、当該フィットネス装置によって識別される各ユーザー用の、バーチャルフィットネストレーナーが実演する複数のパーソナライズされたフィットネス運動が記録・記憶され、
前記コンピュータユニットが、
−識別されたユーザー（１）用に当該コンピュータユニットのメモリに記憶されたフィットネス運動の、前記バーチャルフィットネストレーナー（３０）による動作シーケンスを、前記表示ユニット（３）に表示させ、
−前記ユーザー（１）によって実行されるフィットネス運動の検出動作が、前記コンピュータユニットのメモリに記憶されてかつ前記バーチャルフィットネストレーナー（３０）によって表示される前記動作シーケンスから逸脱する程度についての比較を、受け取る前記信号を参照して実行し、
−前記ユーザー（１）に対し、そのユーザー（１）によって実行される動作の、記憶された前記動作シーケンスからの逸脱を、前記表示ユニット（３）によって表示する、フィットネス装置。
【手続補正２】
【補正対象書類名】特許請求の範囲
【補正対象項目名】請求項１６
【補正方法】変更
【補正の内容】
【請求項１６】
フィットネス運動の正確な実行を自動的に確認する方法であって、
−１つのセンサ機器（２）、１つの表示ユニット（３）、識別手段および１つのコンピュータユニットを少なくとも備えるフィットネス装置（Ａ、Ｂ）を用意する過程と、
−実際のフィットネストレーナーによって実行されるフィットネス運動を記録・電子化する過程であって、バーチャルフィットネストレーナー（３０）によるフィットネス運動として前記表示ユニット（３）で再生可能とし、データベースに、前記フィットネス装置によって識別される各ユーザー用の、バーチャルフィットネストレーナーが実演する複数のパーソナライズされたフィットネス運動が記録・記憶される過程と、
−前記コンピュータユニットに記憶されたユーザーのリストから特定のユーザー（１）を識別する過程と、
−識別されたユーザー（１）用に記録・電子化されたフィットネス運動の、前記バーチャルフィットネストレーナー（３０）による動作シーケンスを、前記表示ユニットに表示する過程と、
−前記センサ機器（２）により、前記フィットネス装置（Ａ，Ｂ）を利用する識別されたユーザー（１）の動作を非接触で検出する過程と、
−前記ユーザー（１）の動作に基づいて前記センサ機器（２）によって生成される信号を、前記コンピュータユニットに送信する過程と、
−前記コンピュータユニットにより、前記センサ機器（２）から受け取る前記信号に基づいて前記ユーザーの前記バーチャル画像（１’）を生成し、そのユーザーのバーチャル画像（１’）を前記表示ユニット（３）にリアルタイムで表示する過程と、
−前記ユーザー（１）によるフィットネス運動の正確な実行を確認するために、前記ユーザー（１）によって実行されるフィットネス運動の検出動作が、前記コンピュータユニットのメモリに記憶されてかつ前記バーチャルフィットネストレーナー（３０）によって実演される前記動作シーケンスから逸脱する程度についての比較を、前記コンピュータユニットにより、前記センサ機器（２）から受け取る前記信号を参照して実行する過程と、
−前記フィットネス運動を実行する識別されたユーザー（１）に対し、そのユーザー（１）によって実行される動作の、記憶された前記動作シーケンスからの逸脱を、前記表示ユニット（３）によってリアルタイムで表示する過程と、を含む、方法。
【手続補正３】
【補正対象書類名】明細書
【補正対象項目名】００４８
【補正方法】変更
【補正の内容】
【００４８】
一改良形態において、前記システムは、次のフィットネス装置Ａ，Ｂへの割当てをユーザー１に知らせるだけでなく、割り当てるフィットネス装置Ａ，Ｂをそのユーザー１のために予約する。これにより、ユーザー１が次に移動すべきフィットネス装置Ａ，Ｂは、少なくとも一定時間にわたり、そのユーザー１によって独占的に利用可能となる。
なお、本発明は、実施の態様として以下の内容を含む。
［態様１］
フィットネススタジオに設置される固定型のフィットネス装置であって、
−そのフィットネス装置（Ａ，Ｂ）のユーザー（１）の動作を非接触で検出し、そのユーザー（１）の動作に基づいて信号を生成・送信するセンサ機器（２）と、
−バーチャルフィットネストレーナー（３０）によるフィットネス運動の動作シーケンスおよび前記ユーザーのバーチャル画像（１’）を表示する表示ユニット（３）と、
−前記センサ機器（２）から受け取る前記信号に基づいて前記ユーザーの前記バーチャル画像（１’）を生成し、そのユーザーのバーチャル画像（１’）を前記表示ユニット（３）に表示させるコンピュータユニットと、
−前記コンピュータユニットに記憶されたユーザーのリストから特定のユーザー（１）を識別する識別手段と、を備えており、
前記コンピュータユニットが、
−識別されたユーザー（１）用に当該コンピュータユニットのメモリに記憶されたフィットネス運動の、前記バーチャルフィットネストレーナー（３０）による動作シーケンスを、前記表示ユニット（３）に表示させ、
−前記ユーザー（１）によって実行されるフィットネス運動の検出動作が、前記コンピュータユニットのメモリに記憶されてかつ前記バーチャルフィットネストレーナー（３０）によって表示される前記動作シーケンスから逸脱する程度についての比較を、受け取る前記信号を参照して実行し、
−前記ユーザー（１）に対し、そのユーザー（１）によって実行される動作の、記憶された前記動作シーケンスからの逸脱を、前記表示ユニット（３）によって表示する、フィットネス装置。
［態様２］
態様１に記載のフィットネス装置において、
前記コンピュータユニットが、前記ユーザー（１）によってフィットネス運動が実行されている際に、前記ユーザーの前記バーチャル画像（１’）と前記バーチャルフィットネストレーナー（３０）の表示とを重ね合わせてかつその重ね合わされた表示を前記表示ユニット（３）で再生することを特徴とする、フィットネス装置。
［態様３］
態様１または２に記載のフィットネス装置において、
前記コンピュータユニットが、前記ユーザー（１）によってフィットネス運動が実行されている際に、前記ユーザー（１）の身体の部分が前記バーチャルフィットネストレーナー（３０）によって定まる体位から逸脱するときを、前記表示ユニット（３）を用いて表示することを特徴とする、フィットネス装置。
［態様４］
態様１から３のいずれか一態様に記載のフィットネス装置において、
前記コンピュータユニットが、前記逸脱の程度を記憶し、その逸脱の程度を可読データとして前記ユーザー（１）に提供することを特徴とする、フィットネス装置。
［態様５］
態様１から４のいずれか一態様に記載のフィットネス装置において、
前記センサ機器（２）および前記コンピュータユニットが、前記ユーザー（１）によって実行される動作の、記憶された前記動作シーケンスからの逸脱を、前記ユーザー（１）の身体の姿勢を参照して特定することを特徴とする、フィットネス装置。
［態様６］
態様１から５のいずれか一態様に記載のフィットネス装置において、
前記コンピュータユニットが、フィットネス運動の実行時に検出される前記ユーザー（１）の動作シーケンスを記録・記憶し、前記フィットネス運動の実行後に、前記ユーザーの前記バーチャル画像（１’）を含む記録された映像を前記表示ユニット（３）で再生可能とすることを特徴とする、フィットネス装置。
［態様７］
態様１から６のいずれか一態様に記載のフィットネス装置において、
そのフィットネス装置（Ａ，Ｂ）が、実際のフィットネストレーナーによって実行されるフィットネス運動を記録・電子化し、前記バーチャルフィットネストレーナー（３０）によるフィットネス運動として前記表示ユニット（３）で再生可能とすることを特徴とする、フィットネス装置。
［態様８］
態様１から７のいずれか一態様に記載のフィットネス装置において、
ユーザー（１）から前記コンピュータユニットにデータを送信可能にする通信機器を備えることを特徴とするフィットネス装置。
［態様９］
態様８に記載のフィットネス装置において、
前記通信機器により、前記識別されたユーザーのパーソナルフィットネスプランを前記コンピュータユニットに送信可能であり、前記コンピュータユニットが、前記パーソナルフィットネスプランに基づいて、前記バーチャルフィットネストレーナーによる少なくとも１つのフィットネス運動を前記表示ユニット（３）で実演可能に構成されていることを特徴とする、フィットネス装置。
［態様１０］
態様８または９に記載のフィットネス装置において、
前記ユーザーによって実行されるフィットネス運動を評価するために、バーチャルフィットネストレーナーによって実演されるフィットネス運動を、特にインターネットおよび／またはユーザーのデータから、前記通信機器によって取り込み可能であることを特徴とする、フィットネス装置。
［態様１１］
態様１から１０のいずれか一態様に記載のフィットネス装置において、
前記識別手段が、入力されるユーザーＩＤとパスワードにより、および／または、前記ユーザー（１）が携帯する識別要素、特にトランスポンダーの非接触スキャンにより、前記ユーザー（１）を識別することを特徴とする、フィットネス装置。
［態様１２］
態様１から１１のいずれか一態様に記載のフィットネス装置を複数備えるシステムであって、
個々の前記フィットネス装置（Ａ，Ｂ）が、それぞれ、識別されたユーザー（１）を、第１のフィットネス装置（Ａ，Ｂ）でのフィットネス運動の実行後に、前記ユーザー（１）の次のフィットネス運動を実行すべき第２のフィットネス装置（Ａ，Ｂ）に導く、システム。
［態様１３］
態様１２に記載のシステムにおいて、
前記第１のフィットネス装置（Ａ，Ｂ）でフィットネス運動を実行した識別されたユーザーについて、そのユーザーのデータが、前記第２のフィットネス装置（Ａ，Ｂ）で利用可能となるように、前記個々のフィットネス装置（Ａ，Ｂ）が互いに電子的に接続されていることを特徴とする、システム。
［態様１４］
態様１２または１３に記載のシステムにおいて、
そのシステムが、
−前記第１のフィットネス装置（Ａ，Ｂ）でのフィットネス運動時に前記ユーザーによって実行される動作の、記憶された前記動作シーケンスからの、決定された前記逸脱の程度、および／または、
−前記識別されたユーザー（１）、および／または、
−前記識別されたユーザー（１）のフィットネスデータ、特に血圧および／または心拍数、
に応じて、前記第２のフィットネス装置（Ａ，Ｂ）への割当てを自動的に実行することを特徴とする、システム。
［態様１５］
態様１２から１４のいずれか一態様に記載のシステムにおいて、
識別されたユーザー（１）に対して各フィットネス装置（Ａ，Ｂ）がサーキットトレーニングの個々のステーションを形成するように、前記フィットネス装置（Ａ，Ｂ）が配置されていることを特徴とする、システム。
［態様１６］
フィットネス運動の正確な実行を自動的に確認する方法であって、
−１つのセンサ機器（２）、１つの表示ユニット（３）および１つのコンピュータユニットを少なくとも備えるフィットネス装置（Ａ、Ｂ）を用意する過程と、
−実際のフィットネストレーナーによって実行されるフィットネス運動を記録・電子化する過程であって、バーチャルフィットネストレーナー（３０）によるフィットネス運動として前記表示ユニット（３）で再生可能とする過程と、
−記録・電子化されたフィットネス運動の、前記バーチャルフィットネストレーナー（３０）による動作シーケンスを、前記表示ユニットに表示する過程と、
−前記センサ機器（２）により、前記フィットネス装置（Ａ，Ｂ）を利用するユーザー（１）の動作を非接触で検出する過程と、
−前記ユーザー（１）の動作に基づいて前記センサ機器（２）によって生成される信号を、前記コンピュータユニットに送信する過程と、
−前記コンピュータユニットにより、前記センサ機器（２）から受け取る前記信号に基づいて前記ユーザーの前記バーチャル画像（１’）を生成し、そのユーザーのバーチャル画像（１’）を前記表示ユニット（３）にリアルタイムで表示する過程と、
−前記ユーザー（１）によるフィットネス運動の正確な実行を確認するために、前記ユーザー（１）によって実行されるフィットネス運動の検出動作が、前記コンピュータユニットのメモリに記憶されてかつ前記バーチャルフィットネストレーナー（３０）によって実演される前記動作シーケンスから逸脱する程度についての比較を、前記コンピュータユニットにより、前記センサ機器（２）から受け取る前記信号を参照して実行する過程と、
−前記フィットネス運動を実行する前記ユーザー（１）に対し、そのユーザー（１）によって実行される動作の、記憶された前記動作シーケンスからの逸脱を、前記表示ユニット（３）によってリアルタイムで表示する過程と、を含む、方法。